(57)【要約】    【課題】  本発明の目的は内側扉の開角度を大きくでき受配電盤収納機器を前面側から容易に引出すことができる屋外用受配電盤を提供することにある。    【解決手段】  垂直フレーム２，３は受配電盤１の前面側に並置され前面側端部をコ字型に構成されている。垂直フレーム２に外側扉５、垂直フレーム３に内側扉６が開閉自在に取付けられ、内側扉６と外側扉４を逆方向に開放する。内側扉６は扉開放時に垂直フレーム３の前面側コ字型端部３ａを収容する収容部７が形成されている。【選択図】  図１
2006074955.tif 000002
【特許請求の範囲】
【請求項１】
受配電盤の前面側に並置され組立枠体を形成し、前面側端部をコ字型に構成されている２本の垂直フレームと、前記２本の垂直フレームの一方に開閉自在に取付けられている外側扉と、前記２本の垂直フレームの他方に開閉自在に取付けられ前記外側扉と逆方向に開放される内側扉とを具備し、前記内側扉は扉開放時に前記他方の垂直フレームの前面側コ字型端部を収容する収容部が形成されていることを特徴とする屋外用受配電盤。
【請求項２】
請求項１において、前記収容部は前記他方の垂直フレームの前面側コ字型端部を遊嵌収容する凹型に形成されていることを特徴とする屋外用受配電盤。
【請求項３】
請求項１において、前記他方の垂直フレームの前面側コ字型端部は外向き開放脚にパッキンが設けられていることを特徴とする屋外用受配電盤。
【請求項４】
請求項３において、前記外側扉は自由端に前記パッキンと当接する折曲部が形成されていることを特徴とする屋外用受配電盤。
【発明の詳細な説明】
【技術分野】
【０００１】
本発明は、例えば、真空遮断器、計器用変流器、零相変流器などによって構成される配電用開閉装置などを収納する屋外用受配電盤に関する。
【背景技術】
【０００２】
一般に、受配電盤には屋内用と屋外用とがある。屋外用は雨水の防水対策のために前面扉を外側扉と内側扉の２重扉にしている。内側扉には計器や操作スイッチなどの機器が取付けられ、外側扉には覗窓が形成される。外側扉と内側扉は受配電盤の組立枠体を形成する支柱としての２本の垂直フレームに開閉自在に取付けられる。支柱としての２本の垂直フレームは受配電盤の前面側に並置される。外側扉と内側扉は垂直フレームにヒンジにより開閉自在に取付けられる。
【０００３】
受配電盤の前面扉を構成する外側扉と内側扉は開閉方向が逆方向になるように構成される。具体的には、２本の垂直フレームの一方に外側扉を開閉自在に取付け、他方の垂直フレームに内側扉を開閉自在に取付ける。外側扉と内側扉の開閉方向を逆方向になるように構成することは、例えば、下記の特許文献１に記載されている。特許文献１は操作箱の例である。
ところで、受配電盤の組立枠体を形成する支柱としての２本の垂直フレームは扉を取付けるために幅を広くして機械的強度を大きくしている。また、垂直フレームの前面側端部に折曲部を形成して強度を向上させるために端部をコ字型に形成している。
【０００４】
【特許文献１】実開平５８−４６５２０５号明細書
【発明の開示】
【発明が解決しようとする課題】
【０００５】
従来技術の屋外用受配電盤は、内側扉の開角度が制限され、それに、内側扉に取付けられる機器の奥行き方向への突出部が障害になり受配電盤収納機器を前面側から引出せないという問題点を有する。このことは、特に、本出願人が先に特願２００４−２３３５１９号として提案したように配電用開閉装置を構成する真空遮断器、計器用変流器、零相変流器などユニット化して前面側から引出す際に問題になる。
【０００６】
本発明の目的は内側扉の開角度を大きくでき受配電盤収納機器を前面側から容易に引出すことができる屋外用受配電盤を提供することにある。
【課題を解決するための手段】
【０００７】
本発明の特徴とするところは、受配電盤の前面側に並置され前面側端部をコ字型に構成されている２本の垂直フレームの一方に外側扉、他方に内側扉を開閉自在に取付け内側扉と外側扉を逆方向に開放するようにし、内側扉は扉開放時に他方の垂直フレームの前面側コ字型端部を収容する収容部が形成されていることにある。
【発明の効果】
【０００８】
本発明は内側扉に設けた収容部で垂直フレームの前面側コ字型端部を収容するので内側扉の開角度を大きくでき、受配電盤収納機器を前面側から容易に引出すことができる。
【発明を実施するための最良の形態】
【０００９】
受配電盤の前面側に並置され組立枠体を形成する２本の垂直フレームは、前面側端部をコ字型に構成されている。外側扉は２本の垂直フレームの一方にヒンジにより開閉自在に取付けられている。内側扉は２本の垂直フレームの他方にヒンジにより開閉自在に取付けられ外側扉と逆方向に開放される。内側扉は扉開放時に他方の垂直フレームの前面側コ字型端部を収容する収容部が形成されている。他方の垂直フレームの前面側コ字型端部には外向き開放脚にパッキンが設けられている。外側扉は自由端にパッキンと当接する折曲部が形成されている。
【実施例１】
【００１０】
図１に本発明の一実施例を示す。図１は外側扉と内側扉を閉じている状態を示している。
【００１１】
図１〜図４において、受配電盤１は組立枠体を形成する２本の垂直フレーム２，３を備えている。受配電盤１は配電用開閉装置ユニットなどの受配電盤収納機器１０が収納されている。垂直フレーム２、３はコ字型に形成され、受配電盤１の前面側に並置されている。また、垂直フレーム２、３の前面側端部もコ字型に構成されている。
【００１２】
外側扉４は垂直フレーム２にヒンジ５により開閉自在に取付けられている。内側扉６は垂直フレーム３にヒンジ８により取付けられた凹型金具７に固着されている。内側扉６は垂直フレーム３にヒンジ８によって開閉自在に取付けられていることになる。内側扉６は廃兵方向が外側扉４と逆方向になる。
【００１３】
内側扉６には計器、操作スイッチなどの機器９が取付けられている。凹型金具７は内側扉６の扉開放時に垂直フレーム３の前面側コ字型端部３ａを収容する収容部を形成する。垂直フレーム３の前面側コ字型端部３ａには外向き開放脚にパッキン１１が設けられている。外側扉４は自由端にパッキン１１と当接する折曲部４ａが形成されている。
【００１４】
この構成において内側扉６を開放するには外側扉４を図２の矢印Ａ方向（反時計方向）に回転させて開放する。外側扉４を開状態にして内側扉６を図２の矢印Ｂ方向（時計方向）に回転させて開放する。
【００１５】
内側扉６を図２の状態まで開放すると垂直フレーム３の前面側コ字型端部３ａとパッキン１１が凹型金具７内に遊嵌収容される。したがって、内側扉６の開角度を大きくすることができ、受配電盤収納機器１０を引出す際に内側扉６に取付けられている計器、操作スイッチなどの機器９の奥行き方向への突出部が障害になることがなく受配電盤１の前面側から容易に引出すことができる。
【００１６】
また、外側扉４は自由端にパッキン１１と当接する折曲部４ａが形成されているので、外側扉４の機械的強度を向上させることができる。
【００１７】
このようにして内側扉を開放するのであるが、垂直フレームの前面側コ字型端部を内側扉の収納部に収納するようにしているので開角度を大きくすることができ、受配電盤収納機器を受配電盤の前面側から容易に引出すことができる。
【００１８】
なお、上述の実施例は内側扉を時計方向に開放し、外側扉を反時計方向に開放するようにしているが、内側扉を反時計方向に開放し、外側扉を時計方向に開放するように構成してもよいことは明らかなことである。
【図面の簡単な説明】
【００１９】
【図１】本発明の一実施例を示す構成図である。
【図２】本発明の開扉状態図である。
【符号の説明】
【００２０】
１…受配電盤、２、３…垂直フレーム、４…外側扉、５、８…ヒンジ、６…内面扉、７…凹型金具、９…機器、１０…受配電盤収納機器、１１…パッキン。
【図１】
2006074955.tif 000003
【図２】
2006074955.tif 000004